(57)【要約】【課題】３Ｄ立体映像処理した画像を見る際に、立体映像を簡易な装置により奥行のある映像として見えるようにしたい要望がある。【解決手段】立体映像鑑賞装置は内部に反射面を有し、両端にそれぞれ第１開口部と第２開口部を備えた第１筒と第２筒と、前記第１筒と前記第２筒をそれぞれ保持するとともに、画像を表示可能な画像表示装置を保持できる保持部を有する。【選択図】図１
2015011337.tif 000002
【特許請求の範囲】
【請求項１】
内部に反射面を有し、両端にそれぞれ第１開口部と第２開口部を備えた第１筒と第２筒と、前記第１筒と前記第２筒をそれぞれ保持するとともに、画像を表示可能な画像表示装置を保持できる保持部を有する立体映像鑑賞装置。
【請求項２】
前記請求項１の立体映像鑑賞装置において、前記内部の断面は少なくとも三角形以上の多角形または円形であることを特徴とする立体映像鑑賞装置。
【請求項３】
前記請求項１の立体映像鑑賞装置において、前記保持部は前記画像表示装置を収容可能な収容部と、前記第１筒と前記第２筒をそれぞれ保持する筒固定部と、前記筒固定部と前記収容部を接続するヒンジ部を有することを特徴とする立体映像鑑賞装置。
【請求項４】
前記請求項１の立体映像鑑賞装置において、前記第１筒と前記第２筒の前記第１開口部は前記画像表示装置の表示面に対向していることを特徴とする立体映像鑑賞装置。
【請求項５】
前記請求項１の立体映像鑑賞装置において、前記第１筒と前記第２筒の前記第２開口部にはレンズがそれぞれ配置されていることを特徴とする立体映像鑑賞装置。
【請求項６】
前記請求項１の立体映像鑑賞装置において、前記画像表示装置は前記第１筒の前記第１開口部に３Ｄ立体映像の右目用の画像を表示し、前記第２筒の前記第１開口部に３Ｄ立体映像の左目用の画像を表示できることを特徴とする立体映像鑑賞装置。
【請求項７】
前記請求項１の立体映像鑑賞装置において、前記保持部は柔軟性のある材料で構成されていることを特徴とする立体映像鑑賞装置。
【請求項８】
前記請求項７の立体映像鑑賞装置において、前記柔軟性のある材料はシリコンゴムであることを特徴とする立体映像鑑賞装置。
【請求項９】
前記請求項１の立体映像鑑賞装置において、前記反射面は鏡で構成されていることを特徴とする立体映像鑑賞装置。
【請求項１０】
内部に反射面を有し、両端にそれぞれ第１開口部と第２開口部を備えた第１筒と第２筒と、前記第１筒と前記第２筒のそれぞれの前記１開口部に対応した位置に、前記第１筒用画像と前記第２筒用画像をそれぞれ表示する表示面を有することを特徴とする立体映像鑑賞装置。
【請求項１１】
内部に反射面を有し、両端にそれぞれ第１開口部と第２開口部を備えた第１筒と第２筒を用いて、前記第１筒と前記第２筒のそれぞれの前記１開口部に対応した位置に、前記第１筒用画像と前記第２筒用画像をそれぞれ表示する表示面し、前記第２開口部から立体映像を鑑賞することを特徴とする立体映像鑑賞方法。
【請求項１２】
前記請求項１１の立体映像鑑賞方法において、前記第１筒用画像は３Ｄ立体映像の右目用の画像で、前記第２筒用画像は３Ｄ立体映像の左目用の画像であることを特徴とする立体映像鑑賞方法。
【請求項１３】
画像表示装置で表示する画像は第１の画像と第２の画像から構成され、
前記第１の画像は中心部に３Ｄ立体映像処理された右目用画像と、前記右目用画像の周囲に３Ｄ立体映像処理されていない画像を配置し、前記第２の画像は中心部に３Ｄ立体映像処理された左目用画像と、前記左目用画像の周囲に３Ｄ立体映像処理されていない画像を配置したことを特徴とする立体映像。
【請求項１４】
前記請求項１３の立体映像において、３Ｄ立体映像処理された前記右目用画像と前記左目用画像は動画であることを特徴とする立体映像。
【請求項１５】
前記請求項１３の立体映像において、前記３Ｄ立体映像処理されていない画像は動画であることを特徴とする立体映像。
【請求項１６】
通信回線に接続され、第１の画像と第２の画像から構成され、前記第１の画像は中心部に３Ｄ立体映像処理された右目用画像と、前記右目用画像の周囲に３Ｄ立体映像処理されていない画像を配置し、前記第２の画像は中心部に３Ｄ立体映像処理された左目用画像と、前記左目用画像の周囲に３Ｄ立体映像処理されていない画像を配置した映像コンテンツを記憶し、前記映像コンテンツを配信することを特徴とするサーバ。
【請求項１７】
前記請求項１６に記載のサーバは前記通信回線に接続されたクライアント端末から送られた画像を３Ｄ立体映像処理し前記第１の画像と前記第２の画像を作成することを特徴とするサーバ。
【発明の詳細な説明】
【技術分野】
【０００１】立体映像鑑賞装置、立体映像鑑賞方法、立体映像、サーバに関する発明である。
【背景技術】
【０００２】先行技術文献として、Ｐａｎａｓｏｎｉｃ  Ｔｅｃｈｎｉｃａｌ  Ｊｏｕｎａｌ  Ｖｏｌ．５６  Ｎｏ．４  Ｊａｎ．２０１１が知られている。
【先行技術文献】
【０００３】
【特許文献１】Ｐａｎａｓｏｎｉｃ  Ｔｅｃｈｎｉｃａｌ  Ｊｏｕｎａｌ  Ｖｏｌ．５６  Ｎｏ．４  Ｊａｎ．２０１１
【発明の概要】
【発明が解決しようとする課題】
【０００４】３Ｄ立体映像処理した画像を見る際に、立体映像を簡易な装置により奥行のある映像として見えるようにしたい要望がある。【０００５】
【課題を解決するための手段】
【０００６】立体映像鑑賞装置は内部に反射面を有し、両端にそれぞれ第１開口部と第２開口部を備えた第１筒と第２筒と、前記第１筒と前記第２筒をそれぞれ保持するとともに、画像を表示可能な画像表示装置を保持できる保持部を有する。
立体映像鑑賞装置は前記内部の断面は少なくとも三角形以上の多角形または円形である。
立体映像鑑賞装置の前記保持部は前記画像表示装置を収容可能な収容部と、前記第１筒と前記第２筒をそれぞれ保持する筒固定部と、前記筒固定部と前記収容部を接続するヒンジ部を有する。
立体映像鑑賞装置は前記第１筒と前記第２筒の前記第１開口部は前記画像表示装置の表示面に対向している。
立体映像鑑賞装置は前記第１筒と前記第２筒の前記第２開口部にはレンズがそれぞれ配置されている。
立体映像鑑賞装置の前記画像表示装置は前記第１筒の前記第１開口部に３Ｄ立体映像の右目用の画像を表示し、前記第２筒の前記第１開口部に３Ｄ立体映像の左目用の画像を表示できる。
立体映像鑑賞装置の前記保持部は柔軟性のある材料で構成されている。
立体映像鑑賞装置の前記柔軟性のある材料はシリコンゴムである。
立体映像鑑賞装置の前記反射面は鏡で構成されている。
立体映像鑑賞装置は内部に反射面を有し、両端にそれぞれ第１開口部と第２開口部を備えた第１筒と第２筒と、前記第１筒と前記第２筒のそれぞれの前記１開口部に対応した位置に、前記第１筒用画像と前記第２筒用画像をそれぞれ表示する表示面を有する。
立体映像鑑賞方法は内部に反射面を有し、両端にそれぞれ第１開口部と第２開口部を備えた第１筒と第２筒を用いて、前記第１筒と前記第２筒のそれぞれの前記１開口部に対応した位置に前記第１筒用画像と前記第２筒用画像をそれぞれ表示し、表示面を前記第２開口部から鑑賞する。
立体映像鑑賞方法の前記第１筒用画像は３Ｄ立体映像の右目用の画像で、前記第２筒用画像は３Ｄ立体映像の左目用の画像である。
立体映像は画像表示装置で表示する画像は第１の画像と第２の画像から構成され、前記第１の画像は中心部に３Ｄ立体映像処理された右目用画像と、前記右目用画像の周囲に３Ｄ立体映像処理されていない画像を配置し、前記第２の画像は中心部に３Ｄ立体映像処理された左目用画像と、前記左目用画像の周囲に３Ｄ立体映像処理されていない画像を配置する。
立体映像は３Ｄ立体映像処理された前記右目用画像と前記左目用画像は動画である。
立体映像の前記３Ｄ立体映像処理されていない画像は動画である。
サーバは通信回線に接続され、第１の画像と第２の画像から構成され、前記第１の画像は中心部に３Ｄ立体映像処理された右目用画像と、前記右目用画像の周囲に３Ｄ立体映像処理されていない画像を配置し、前記第２の画像は中心部に３Ｄ立体映像処理された左目用画像と、前記左目用画像の周囲に３Ｄ立体映像処理されていない画像を配置した映像コンテンツを記憶する。
サーバは前記通信回線に接続されたクライアント端末から送られた画像を３Ｄ立体映像処理し前記第１の画像と前記第２の画像を作成する。
【発明の効果】
【０００７】両眼で、第１の筒と第２の筒を用いて、映像を見ることにより、反射面に写った映像が無限の美しい模様となり筒万華鏡と同様に拡がりを持った無限模様を楽しめるとともに、立体映像を奥行のある映像として見ることができる。特に中心部の３Ｄ立体映像は周りの３Ｄ立体映像処理されていない画像より手前に浮き上がって見える。
【図面の簡単な説明】
【０００８】
【図１】第１の立体映像鑑賞装置を示す図。
【図２】第２の立体映像鑑賞装置を示す図。
【図３】第３の立体映像鑑賞装置を示す図。
【図４】立体映像を示す図
【図５】立体映像の作成方法を示す図
【図６】立体映像の配信を説明する図
【発明を実施するための形態】
【０００９】
【実施例】
【００１０】図１は第１の立体映像鑑賞装置を示している。
立体映像鑑賞装置は内部に反射面を有し、両端にそれぞれ第１開口部６と第２開口部５を備えた第１筒１と第２筒２と、前記第１筒１と前記第２筒２をそれぞれ保持するとともに、画像を表示可能な画像表示装置４を保持できる保持部３を有する。
画像表示装置４は携帯端末やタブレットＰＣなどで良い。画像表示装置４の表示面９は左目用画像１１と右目用画像１０を表示することができる。
左目用画像１１と右目用画像１０は後述する図４のように構成されている。
立体映像鑑賞装置の前記第１筒１と前記第２筒２の前記第１開口部６は前記画像表示装置４の表示面９に対向している。
画像表示装置４を保持部３に保持した場合、第１筒１は表示面９の左目用画像１１上に、第２筒２は表示面９の右目用画像１０上に配置される。
立体映像鑑賞装置は前記内部の断面は少なくとも三角形以上の多角形または円形である。
立体映像鑑賞装置は前記第１筒１と前記第２筒２の前記第２開口部５にレンズがそれぞれ配置されていても良い。
立体映像鑑賞装置の前記保持部３は柔軟性のある材料で構成されている。柔軟性のある材料はシリコンゴムである。
立体映像鑑賞装置の前記反射面は鏡で構成されるのが望ましいが、屈折率差による反射でもよい。
図４で説明する立体映像の３Ｄ立体映像処理された前記右目用画像１４と前記左目用画像１６は第１筒１および第２筒２の中心に配置されている。第１筒１および第２筒２の開口部５から両眼で覗くと、立体映像として見える。
さらに、前記右目用画像１４の周囲に３Ｄ立体映像処理されていない画像１５と、前記左目用画像１６の周囲に３Ｄ立体映像処理されていない画像１７は第１筒１および第２筒２内部の反射面により、万華鏡効果がかかった映像として見える。
これは、第１筒１と第２筒２内の内壁に設けられ、覗き穴となる開口部５から開口部６の間に設けた反射面で画像１５および１７が反射し無限模様を構成するとともに、右目用画像１４と前記左目用画像１６は開口部１６の中心に配置されていることで模様の中心となるため、反射による繰り返しは無いので、通常よりも画像が浮き上がって見える。
３Ｄ立体映像処理された画像と３Ｄ立体映像処理されていない画像を同時に万華鏡効果がある２つの筒で見ることにより、３Ｄ立体映像は周りの３Ｄ立体映像処理されていない画像より手前に浮き上がって見える。
右目用画像１４と前記左目用画像１６が動画の場合、その動きが加わったことで、より一層、浮き上がって見える。【００１１】図２は第２の立体映像鑑賞装置を示している。
立体映像鑑賞装置の前記保持部３は前記画像表示装置４を収容可能な収容部３１と、前記第１筒１と前記第２筒２をそれぞれ保持する筒固定部３２と、前記筒固定部３２と前記収容部３１を接続するヒンジ部７を有する。
ヒンジ部７で、収容部３１に収容された画像表示装置４の表示面９に、筒固定部３２を接触させたり、外したりすることができる。
保持部３は開口部８を有しており、この開口部８は前記画像表示装置４を収容したとき表示面９が全て見えるように開口していることが望ましいが、後述する図４のように構成されている左目用画像１１と右目用画像１０を表示できるスペースが空いていれば良い。【００１２】立体映像鑑賞装置は前記第１筒１と前記第２筒２の前記第１開口部６は前記画像表示装置４の表示面９に対向している。【００１３】立体映像鑑賞装置は前記第１筒１と前記第２筒２の前記第２開口部５にはレンズがそれぞれ配置されている。【００１４】立体映像鑑賞装置の前記画像表示装置は前記第１筒１の前記第１開口部６に図４で後述べする３Ｄ立体映像の右目用の画像１３を表示し、前記第２筒２の前記第１開口部６に３Ｄ立体映像の左目用の画像１２を表示できる。【００１５】立体映像鑑賞装置の前記保持部３は柔軟性のある材料で構成されている。柔軟性のある材料はシリコンゴムである。【００１６】立体映像鑑賞装置の前記反射面は鏡で構成されるのが望ましいが、屈折率差による反射でもよい。【００１７】図３は第３の立体映像鑑賞装置を示す図。
立体映像鑑賞装置は内部に反射面を有し、両端にそれぞれ第１開口部６と第２開口部５を備えた第１筒１と第２筒２と、前記第１筒１と前記第２筒２のそれぞれの前記１開口部６に対応した位置に、前記第１筒用画像１３と前記第２筒用画像１２をそれぞれ表示する表示面を有した表示部が一体構成された装置である。【００１８】立体映像鑑賞方法を図１から図３を用いて説明する。
立体映像鑑賞方法は内部に反射面を有し、両端にそれぞれ第１開口部６と第２開口部５を備えた第１筒１と第２筒２を用いて、前記第１筒１と前記第２筒２のそれぞれの前記１開口部６に対応した位置に、前記第１筒用画像１３と前記第２筒用画像１２をそれぞれ表示し、表示面９を前記第２開口部５から見ることで、立体映像を鑑賞する。
立体映像鑑賞方法の前記第１筒用画像１３は３Ｄ立体映像の右目用の画像で、前記第２筒用画像は３Ｄ立体映像の左目用１２の画像である。【００１９】図４は立体映像を示す図である。
画像表示装置で表示する画像は第１の画像１３と第２の画像１２から構成され、前記第１の画像１３は中心部に３Ｄ立体映像処理された右目用画像１４と、前記右目用画像の周囲に３Ｄ立体映像処理されていない画像１５を配置し、前記第２の画像１２は中心部に３Ｄ立体映像処理された左目用画像１６と、前記左目用画像の周囲に３Ｄ立体映像処理されていない画像１７を配置する。
第１の画像１３と前記第２の画像１２は図１に示す第１筒１と第２筒２の中心に配置される。
立体映像は３Ｄ立体映像処理された前記右目用画像１４と前記左目用画像１６は静止画でも動画でも良いが、動画のほうが、万華鏡効果によりより浮き上がった映像として見ることができる。
立体映像の前記３Ｄ立体映像処理されていない画像１７，１５は静止画でも動画でも良い。
このような方法で画像１２ないし１５を配置することで、３Ｄ立体映像処理された画像と３Ｄ立体映像処理されていない画像を同時に万華鏡効果がある２つの筒で見ることにより、３Ｄ立体映像は周りの３Ｄ立体映像処理されていない画像より手前に浮き上がって見える。【００２０】図５は立体映像の作成方法を示す図。
左右画像中央部の３Ｄ部分は、通常技術で実写もしくはコンピューターグラフィックで作成した映  像を、以下に述べる、メインの周囲部分の映像に合成するという作業になる。
その周囲部分の映像の制作方法を以下に述べる。通常の一般的な既成の画像作成ソフトで、作りたい模様のイメージ（例えば、回転する模様、流れる模様、  または、それらが複雑に混合した模様等）により、各種組合せ制作する。画像表示装置で、そのままで直接画像を見ても、ただの連続した動画であるが、筒の鏡部分を通してみると。反射効果（万華鏡効果）により、美しい無限の連続模様になりそれが変化する。
上記と同様、編集制作途中のモニター画面では、この万華鏡効果が見られないので、図５の様に制作途中で特製鏡により確認しながら作業をする事で、格段に作業効率が向上する。
ただし、この周囲部分の画像は３Ｄ立体ではないので、編集制作画面は片方のみで、万華鏡効  果確認後、左右に同一映像を並べる。
その後、前記の３Ｄ立体映像の左右画像を周囲部分の左右映像に合成する。【００２１】図６は立体映像の配信を説明する図である。
サーバ２２は通信回線２１に接続され、第１の画像１３と第２の画像１２から構成され、前記第１の画像は中心部に３Ｄ立体映像処理された右目用画像と、前記右目用画像の周囲に３Ｄ立体映像処理されていない画像を配置し、前記第２の画像は中心部に３Ｄ立体映像処理された左目用画像と、前記左目用画像の周囲に３Ｄ立体映像処理されていない画像を配置した映像コンテンツ２４を記憶し、前記映像コンテンツを配信する。
サーバ２２は前記通信回線２１に接続されたクライアント端末２３から送られた画像を３Ｄ立体映像処理し前記第１の画像１３と前記第２の画像１２を作成する。【００２２】
【産業上の利用可能性】
【００２３】３Ｄ立体映像処理した画像を見る際に、立体映像を簡易な装置により奥行のある映像を提供することができる。
【符号の説明】
【００２４】１．筒
２．筒
３．保持部
４．画像表示装置
５．前記第２開口部
６．前記第１開口部
７．ヒンジ
８．開口部
９．表示面
１０．右目用の画像
１１．左右目用の画像
１２．第１筒用画像、左目用の画像
１３．第２筒用画像、右目用の画像
１４．３Ｄ立体映像処理された右目用画像
１５．３Ｄ立体映像処理されていない画像
１６．３Ｄ立体映像処理された左目用画像
１７．３Ｄ立体映像処理されていない画像
【図１】
2015011337.tif 000003
【図２】
2015011337.tif 000004
【図３】
2015011337.tif 000005
【図４】
2015011337.tif 000006
【図５】
2015011337.tif 000007
【図６】
2015011337.tif 000008